(57)【要約】【課題】可撓性配管類の平面コーナー部分の形状に応じて自由に屈曲角度を変えられ、配管類を通すスペースを広く保つことができ、配管類を傷付けず、配管類の設置作業を効率良く行えるコーナー用配管カバーを提供する。【解決手段】可撓性配管類の平面コーナー部分を覆うコーナー用配管カバー１０で、屈曲した半割筒形状の２つの分割体１４ａ，１４ｂが合体して形成され、各分割体は略円弧形状に屈曲した半割筒形状の屈曲端部２１ａ，３１ａ（２１ｂ，３１ｂ）同士を重ね合わせて連結した２つの分割半体２０ａ，３０ａ（２０ｂ，３０ｂ）で構成され、各分割半体の屈曲端部の略円弧形状の中心は屈曲端部の内側コーナーの側壁２３ａ，３３ａ（２３ｂ，３３ｂ）の外方に位置し、各中心に回動中心軸２２ａ，３２ａ（２２ｂ，３２ｂ）を備え、屈曲端部同士を摺動可能に重ね合わせると共に回動中心軸同士を回動可能に係合して分割半体同士を回動可能に連結した。【選択図】図３
2010144863.tif 000002
【特許請求の範囲】
【請求項１】
可撓性配管類の平面コーナー部分を覆うコーナー用配管カバーにおいて、
屈曲した半割筒形状の２つの分割体が合体して形成されており、
前記２つの分割体はそれぞれ、略円弧形状に屈曲した半割筒形状の屈曲端部同士を重ね合わせて連結した２つの分割半体で構成され、
前記２つの分割半体それぞれの前記屈曲端部の略円弧形状の中心は、前記屈曲端部の内側コーナーの側壁の外方に位置し、
当該略円弧形状の中心にそれぞれ回動中心軸を備え、前記屈曲端部同士を摺動可能に重ね合わせると共に前記回動中心軸同士を回動可能に係合することで、前記分割半体同士を回動可能に連結したことを特徴とするコーナー用配管カバー。
【請求項２】
前記２つの分割半体の前記屈曲端部の略円弧形状がそれぞれ約４５°の角度を有するものであり、前記分割半体同士の回動可能範囲が９０°〜１３５°の間であることを特徴とする請求項１に記載のコーナー用配管カバー。
【請求項３】
前記分割半体の一方における前記回動中心軸を、その軸方向において前記分割体の割面から遠い側にすると共に、前記分割半体の他方における前記回動中心軸を、その軸方向において前記割面から近い側にして、前記２つの分割半体の前記回動中心軸同士を係合するように構成されていると共に、
前記分割半体の一方における前記屈曲端部の外側コーナーの側壁の外壁と、前記分割半体の他方における前記屈曲端部の外側コーナーの側壁の内壁とを摺動可能に重ね合わせるように構成されており、
前記２つの分割半体の前記回動中心軸同士を係合すると共に、前記２つの分割半体の前記屈曲端部の外側コーナーの側壁同士を摺動可能に重ね合わせることで、前記２つの分割半体同士を回動可能に連結したことを特徴とする請求項１又は２に記載のコーナー用配管カバー。
【請求項４】
前記分割半体の一方における前記屈曲端部の外側コーナーの側壁の外壁に嵌合突起を有し、かつ、前記分割半体の他方における前記屈曲端部の外側コーナーの側壁の内壁に嵌合溝を有しており、
前記２つの分割半体の前記回動中心軸同士を係合すると共に、前記分割半体の一方における前記嵌合突起を前記分割半体の他方における前記嵌合溝に摺動可能に嵌合することで、前記２つの分割半体同士を回動可能に連結したことを特徴とする請求項３に記載のコーナー用配管カバー。
【発明の詳細な説明】
【技術分野】
【０００１】
本発明は、エアコンディショナー等の、家屋の内部から外壁に導出されて外壁面に沿って配設される冷媒管・ドレンホースなどの配管や電線など（以下、これらを一括して単に可撓性配管類という）における外壁面上のコーナー部分（以下、このようなコーナー部分を平面コーナー部分という）を覆うためのコーナー用配管カバーに関する。
【背景技術】
【０００２】
従来、家屋の外壁等に配設されるエアコンディショナー等の可撓性配管類は、美観上や配管類の保護等の観点から、半割筒形状の２つの分割体を合体させてなる配管カバーで覆われていることが多い。また、前記した可撓性配管類は、窓や戸袋等に当たるのを避けるため、部分的に屈曲させて家屋の外壁に配設されることが多い。その場合、配管カバーは、配管類の直線部分を覆う直線用配管カバーと、配管類の平面コーナー部分を覆うコーナー用配管カバーで構成される。
【０００３】
ここで、従来のコーナー用配管カバーとしては、９０°に屈曲したもの（可撓性配管類の平面コーナー部分が９０°に屈曲したところに対応）や１３５°に屈曲したもの（可撓性配管類の平面コーナー部分が４５°に屈曲したところに対応）があり、その屈曲角度は固定されており、変えることはできなかった。このため、可撓性配管類を配管カバーで覆う作業を行う際には、複数種類のコーナー用配管カバーを用意しておく必要があり、運搬が面倒であったり、作業が煩雑になったりしていた。
【０００４】
また、エアコンディショナーの室外機が設置される位置も、窓あるいは戸袋の位置も家屋毎に異なるため、配管類の平面コーナー部分の角度が常に９０°や４５°になるとは限らず、さらに、例えば配管類を垂直方向から水平方向に９０°屈曲させる部分でも、ドレン排水等の水が流れ易くなるように、水平方向に屈曲させる際に多少の勾配を付ける必要があるときもあり、固定された屈曲角度のコーナー用配管カバーでは対応できない場合が生じていた。
【０００５】
そこで、コーナー用配管カバーの中には、その屈曲部を可撓性配管類の平面コーナー部分の形状に合わせて回動可能に形成して屈曲角度を変更できるようにしたものが提案されるようになってきた（例えば、特許文献１参照）。これにより、可撓性配管類を配管カバーで覆う作業を行う際に、１種類のコーナー用配管カバーを用意しておけば良くなり、また、種々の屈曲角度に対応できるようになった。
【特許文献１】特開平７−２０８６８２号公報
【発明の開示】
【発明が解決しようとする課題】
【０００６】
しかしながら、前記した特許文献１に記載のコーナー用配管カバーは、屈曲部を回動させるための回動中心軸を配管カバーの筒形の内側に有している。このように回動中心軸を筒形の内側に有している構成では、屈曲角度が小さくなるように屈曲部を回動させると、屈曲部における外側コーナーの側壁の重なり具合が小さくなり、逆に屈曲部における内側コーナーの側壁の重なり具合が大きくなっていく構成となる。また、屈曲角度が大きくなるように屈曲部を回動させると、屈曲部における外側コーナーの側壁の重なり具合が大きくなり、逆に屈曲部における内側コーナーの側壁の重なり具合が小さくなっていく構成となる。
【０００７】
このように、屈曲角度の変化によって屈曲部の外側コーナーの側壁と内側コーナーの側壁との重なり具合が逆に変化していく構成においては、屈曲部を回動させてどの屈曲角度にしても、常に可撓性配管類を配管カバーが覆っている構成にするために、コーナー用配管カバーの屈曲部は、その外側コーナーの側壁が、屈曲角度を最小角にしたときに必要な長さに形成され、その内側コーナーの側壁が、屈曲角度を最大角にしたときに必要な長さに形成される必要がある。
【０００８】
そして、このような構成にした結果、特に屈曲部を回動させて決定した屈曲角度が小さい角度となったときに、外側コーナーの側壁の重なり具合は丁度端部同士が重なる程度となるが、内側コーナーの側壁の重なり具合は重なり過ぎで、重なったものの一部が筒形の内側に突出するようになる場合が生じる。
【０００９】
このように側壁の一部が筒形の内側に突出していると、配管カバーの中の可撓性配管類を通すスペースが狭くなってしまい、また、配管カバーの中を通っている可撓性配管類を傷付けてしまう可能性があり、それらの不具合を防止するために、内側コーナーの側壁の突出した部分を切断する等の作業を行う必要があり、余計な手間が掛かり可撓性配管類の設置作業における効率が悪いという問題があった。
【００１０】
また、回動中心軸が筒形の内側にあると、その回動中心軸が筒形の内側に出っ張る場合があり、この出っ張りによって、配管カバーの中の可撓性配管類を通すスペースが狭くなってしまい、また、配管カバーの中を通る可撓性配管類を傷付けてしまう可能性もある。
【００１１】
本発明は、このような事情に鑑みてなされたものであり、可撓性配管類の平面コーナー部分の形状に応じて自由に屈曲角度を変えられると共に、内側に配管カバーの一部が突出しないようにすることで、配管カバーの中の可撓性配管類を通すスペースを広く保つことができ、可撓性配管類を傷付けることがなく、可撓性配管類の設置作業における効率を向上させることができるコーナー用配管カバーを提供することを目的とする。
【課題を解決するための手段】
【００１２】
かかる課題を解決するために、請求項１に記載の発明は、可撓性配管類の平面コーナー部分を覆うコーナー用配管カバーにおいて、屈曲した半割筒形状の２つの分割体が合体して形成されており、前記２つの分割体はそれぞれ、略円弧形状に屈曲した半割筒形状の屈曲端部同士を重ね合わせて連結した２つの分割半体で構成され、前記２つの分割半体それぞれの前記屈曲端部の略円弧形状の中心は、前記屈曲端部の内側コーナーの側壁の外方に位置し、当該略円弧形状の中心にそれぞれ回動中心軸を備え、前記屈曲端部同士を摺動可能に重ね合わせると共に前記回動中心軸同士を回動可能に係合することで、前記分割半体同士を回動可能に連結したことを特徴とする。
【００１３】
また、請求項２に記載の発明は、請求項１に記載の発明に加え、前記２つの分割半体の前記屈曲端部の略円弧形状がそれぞれ約４５°の角度を有するものであり、前記分割半体同士の回動可能範囲が９０°〜１３５°の間であるコーナー用配管カバーとしたことを特徴とする。
【００１４】
また、請求項３に記載の発明は、請求項１又は２に記載の発明に加え、前記分割半体の一方における前記回動中心軸を、その軸方向において前記分割体の割面から遠い側にすると共に、前記分割半体の他方における前記回動中心軸を、その軸方向において前記割面から近い側にして、前記２つの分割半体の前記回動中心軸同士を係合するように構成されていると共に、前記分割半体の一方における前記屈曲端部の外側コーナーの側壁の外壁と、前記分割半体の他方における前記屈曲端部の外側コーナーの側壁の内壁とを摺動可能に重ね合わせるように構成されており、前記２つの分割半体の前記回動中心軸同士を係合すると共に、前記２つの分割半体の前記屈曲端部の外側コーナーの側壁同士を摺動可能に重ね合わせることで、前記２つの分割半体同士を回動可能に連結したコーナー用配管カバーとしたことを特徴とする。
【００１５】
また、請求項４に記載の発明は、請求項３に記載の発明に加え、前記分割半体の一方における前記屈曲端部の外側コーナーの側壁の外壁に嵌合突起を有し、かつ、前記分割半体の他方における前記屈曲端部の外側コーナーの側壁の内壁に嵌合溝を有しており、前記２つの分割半体の前記回動中心軸同士を係合すると共に、前記分割半体の一方における前記嵌合突起を前記分割半体の他方における前記嵌合溝に摺動可能に嵌合することで、前記２つの分割半体同士を回動可能に連結したコーナー用配管カバーとしたことを特徴とする。
【発明の効果】
【００１６】
請求項１に記載のコーナー用配管カバーによれば、２つの分割半体同士を回動させる際の中心となる回動中心軸を、屈曲端部の内側コーナーの側壁の外方に配置したため、分割半体同士を回動させても屈曲端部の側壁の一部が筒形の内側に突出する場合がほとんどなくなる。従って、配管カバーの中の可撓性配管類を通すスペースを広く保つことができ、かつ、筒形の内側に突出した屈曲端部の側壁の一部で可撓性配管類を傷付けることがなくなり、その結果、当該可撓性配管類のスペース確保や損傷防止のために屈曲端部の側壁の突出した部分を切断する等の作業も必要なくなり、可撓性配管類の設置作業を効率良く行うことができる。また、回動中心軸が筒形の内側にないため、回動中心軸の出っ張りで、配管カバーの中の可撓性配管類を通すスペースが狭くなったり、可撓性配管類を傷付けてしまったりすることもなくなる。
【００１７】
請求項２に記載のコーナー用配管カバーによれば、請求項１に記載の発明における効果に加え、２つの分割半体の屈曲端部の略円弧形状がそれぞれ約４５°の角度を有し、分割半体同士の回動可能範囲が９０°〜１３５°の間となることで、より屈曲端部の側壁の一部が筒形の内側に突出することがない構成となる。その結果、より可撓性配管類を傷付けることがなくなり、より可撓性配管類の設置作業を効率良く行うことができる。
【００１８】
請求項３に記載のコーナー用配管カバーによれば、請求項１又は２に記載の発明における効果に加え、回動中心軸同士の係合と屈曲端部の外側コーナーの側壁同士の重ね合わせのみで、２つの分割半体を回動可能に連結することができるため、コーナー用配管カバーの組立を簡単かつ確実に行うことができ、作業効率を向上させることができる。
【００１９】
請求項４に記載のコーナー用配管カバーによれば、請求項３に記載の発明における効果に加え、屈曲端部の外側コーナーの側壁同士の重ね合わせによる係合を、嵌合突起を嵌合溝へ嵌合させることで、外れ難いストッパを有する係合とすることができるため、コーナー用配管カバーの組立を簡単、かつ、より確実に行うことができ、作業効率をさらに向上させることができる。
【発明を実施するための最良の形態】
【００２０】
以下、本発明の実施の形態について、図面を参照して説明する。
【００２１】
図１は、本発明の一実施形態に係るコーナー用配管カバーの屈曲角度を９０°にしたときを示す斜視図である。図２は、同実施形態に係るコーナー用配管カバーの屈曲角度を４５°にしたときを示す斜視図である。図３は、同実施形態に係るコーナー用配管カバーを２つの分割体に分離した状態において屈曲角度を９０°にしたときを示す斜視図である。図４は、同実施形態に係るコーナー用配管カバーを２つの分割体に分離した状態において屈曲角度を９０°にしたときを示す割面図である。図５は、同実施形態に係るコーナー用配管カバーを２つの分割体に分離した状態において屈曲角度を４５°にしたときを示す割面図である。図６は、同実施形態に係るコーナー用配管カバーの２つの分割体をさらに２つの分割半体に分離した状態を示す斜視図である。図７は、同実施形態に係るコーナー用配管カバーの２つの分割体をさらに２つの分割半体に分離した状態を示す割面図である。図８は、同実施形態に係るコーナー用配管カバーの２つの分割体のうち壁面側の分割体を図３とは別角度から見た斜視図である。
【００２２】
図１乃至図８に示すように、本発明の一実施形態に係るコーナー用配管カバー１０は、例えばエアコンディショナー等において、家屋の内部から外壁に導出されて外壁面に沿って配設される可撓性配管類の外壁面上の平面コーナー部分を覆うための配管カバーである。このコーナー用配管カバー１０は、その両端に直線用配管カバー等の他の配管カバーとの接続部となる第１接続用開口部１１及び第２接続用開口部１２を有する屈曲した筒形状からなるもので、プラスチック樹脂から形成されている。また、このコーナー用配管カバー１０は、その略円弧形状の屈曲部１３が回動するようになっており、これにより屈曲角度Ｒを自由に変化することができるようになっている。
【００２３】
図３乃至図５に示すように、このコーナー用配管カバー１０は、配設する外壁面と略平行な面を割面として分割された、屈曲した半割筒形状の２つの分割体１４ａ，１４ｂが合体して形成されている。また、この分割体１４ａ，１４ｂそれぞれに屈曲部分割体１３ａ，１３ｂが形成されており、この屈曲部分割体１３ａ，１３ｂ同士が合体して屈曲部１３を構成するようになっている。また、分割体の一方は、家屋の外壁面等に固定される下側分割体１４ａを構成し、その下側分割体１４ａに対して、他方の分割体である上側分割体１４ｂが合体分離可能に形成されている。なお、以下、ａを付した符号は下側（壁面側）のものを示し、ｂを付した符号は上側（他側）のものを示すこととする。
【００２４】
さらに、図６及び図７に示すように、前記２つの分割体１４ａ，１４ｂは、合体して前記第１接続用開口部１１を構成する第１接続用開口部分割体１１ａ，１１ｂをそれぞれ一端に有する半割筒形状の第１分割半体（分割半体の一方）２０ａ，２０ｂと、合体して前記第２接続用開口部１２を構成する第２接続用開口部分割体１２ａ，１２ｂをそれぞれ一端に有する半割筒形状の第２分割半体（分割半体の他方）３０ａ，３０ｂとで構成されている。
【００２５】
また、前記第１分割半体２０ａ，２０ｂにおいて、前記第１接続用開口部分割体１１ａ，１１ｂを有する一端と反対側の他端には、略円弧形状に屈曲した半割筒形状の第１屈曲端部（屈曲端部）２１ａ，２１ｂを有しており、その第１屈曲端部２１ａ，２１ｂにおける前記第１接続用開口部分割体１１ａ，１１ｂから最も離れた端部が、前記第２分割半体３０ａ，３０ｂとの連結用に開口した第１連結用開口部２８ａ，２８ｂとなっている。また、前記第２分割半体３０ａ，３０ｂにおいて、前記第２接続用開口部分割体１２ａ，１２ｂを有する一端と反対側の他端には、略円弧形状に屈曲した半割筒形状の第２屈曲端部（屈曲端部）３１ａ，３１ｂを有しており、その第２屈曲端部３１ａ，３１ｂにおける前記第２接続用開口部分割体１２ａ，１２ｂから最も離れた端部が、前記第１分割半体２０ａ，２０ｂとの連結用に開口した第２連結用開口部３８ａ，３８ｂとなっている。そして、前記第１屈曲端部２１ａ，２１ｂと前記第２屈曲端部３１ａ，３１ｂとを重ね合わせて回動可能に連結させることで、前記屈曲部分割体１３ａ，１３ｂを構成するようになっている。
【００２６】
図６及び図７に示すように、前記第１分割半体２０ａ，２０ｂの前記第１屈曲端部２１ａ，２１ｂの略円弧形状の中心は、半割筒形状の前記第１屈曲端部２１ａ，２１ｂの両側の側壁のうちの内側コーナーの側壁２３ａ，２３ｂの外方に位置しており、この略円弧形状の中心に前記第２分割半体３０ａ，３０ｂとの回動の中心軸となる第１回動中心軸２２ａ，２２ｂを備えている。また、前記第２分割半体３０ａ，３０ｂの前記第２屈曲端部３１ａ，３１ｂの略円弧形状の中心は、半割筒形状の前記第２屈曲端部３１ａ，３１ｂの両側の側壁のうちの内側コーナーの側壁３３ａ，３３ｂの外方に位置しており、この略円弧形状の中心に前記第１分割半体２０ａ，２０ｂとの回動の中心軸となる第２回動中心軸３２ａ，３２ｂを備えている。
【００２７】
また、本実施形態では、図３乃至図８に示すように、前記第１分割半体２０ａ，２０ｂの半割筒形状の前記第１屈曲端部２１ａ，２１ｂの両側の側壁のうちの外側コーナーの側壁２４ａ，２４ｂの外壁に、嵌合突起２５ａ，２５ｂが突出形成されている。さらに、前記第２分割半体３０ａ，３０ｂの半割筒形状の前記第２屈曲端部３１ａ，３１ｂの両側の側壁のうちの外側コーナーの側壁３４ａ，３４ｂの内壁に、前記嵌合突起２５ａ，２５ｂに合わせて形成した所定長さの嵌合溝３５ａ，３５ｂを有している。
【００２８】
本実施形態の嵌合突起２５ａ，２５ｂは、具体的には、図７及び図８に示すように、前記第１分割半体２０ａ，２０ｂの前記第１屈曲端部２１ａ，２１ｂの外側コーナーの側壁２４ａ，２４ｂの外壁における前記第１連結用開口部２８ａ，２８ｂに接する位置又は前記第１連結用開口部２１ａ，２１ｂに近い位置に形成されており、前記第１分割半体２０ａ，２０ｂと前記第２分割半体３０ａ，３０ｂの回動方向（略円弧形状の円弧方向）Ｙに略等しい方向が長手方向となる細長形状に形成されている。
【００２９】
また、本実施形態の嵌合溝３５ａ，３５ｂは、具体的には、図６に示すように、前記第２分割半体３０ａ，３０ｂの前記第２屈曲端部３１ａ，３１ｂの外側コーナーの側壁３４ａ，３４ｂの内壁における前記第２連結用開口部３８ａ，３８ｂに近い位置を一端部３７ａ，３７ｂとして、そこから前記第１分割半体２０ａ，２０ｂと前記第２分割半体３０ａ，３０ｂの回動方向（略円弧形状の円弧方向）Ｙに沿った方向に向かって細長い溝が形成された状態となっている。  そして、本実施形態における第１分割半体２０ａ，２０ｂと第２分割半体３０ａ，３０ｂとの回動可能な連結は、図３及び図８に示すように、まず、第１分割半体２０ａ，２０ｂの第１回動中心軸２２ａ，２２ｂを、その軸方向Ｘにおいて分割体１４ａ，１４ｂの割面から遠い側、第２分割半体３０ａ，３０ｂの第２回動中心軸３２ａ，３２ｂを、その軸方向Ｘにおいて分割体１４ａ，１４ｂの割面から近い側にして、第１回動中心軸２２ａ，２２ｂと第２回動中心軸３２ａ，３２ｂとを嵌合等により回動可能に係合するように構成されている。具体的には、本実施形態の第１回動中心軸２２ａ，２２ｂは円柱突起状に形成されており、本実施形態の第２回動中心軸３２ａ，３２ｂは円柱突起状の第１回動中心軸２２ａ，２２ｂが嵌合するように対応した丸穴状に形成されており、両者が軸方向Ｘの向きで嵌合することで回動可能に係合するようになっている。
【００３０】
さらに、図３乃至図８に示すように、第１分割半体２０ａ，２０ｂの第１屈曲端部２１ａ，２１ｂの外側コーナーの側壁２４ａ，２４ｂを、プラスチックの弾性力を利用して内側へ弾性変形させると共に、第２分割半体３０ａ，３０ｂの第２屈曲端部３１ａ，３１ｂの外側コーナーの側壁３４ａ，３４ｂを、同じくプラスチックの弾性力を利用して外側へ弾性変形させて、第１分割半体２０ａ，２０ｂの嵌合突起２５ａ，２５ｂを、第２分割半体３０ａ，３０ｂの嵌合溝３５ａ，３５ｂに嵌合させることで、第１分割半体２０ａ，２０ｂと第２分割半体３０ａ，３０ｂとを連結するようになっている。
【００３１】
ここで、前記嵌合溝３５ａ,３５ｂは、嵌合突起２５ａ,２５ｂを嵌合させて所定長さ（本実施形態では、分割半体同士の回動可能範囲が９０°〜１３５°となる長さ）を摺動させることができるだけの溝の長さを有しており、これにより、第１屈曲端部２１ａ，２１ｂと第２屈曲端部３１ａ，３１ｂを摺動可能に重ね合わせることができるようになっている。
【００３２】
また、図６に示すように、前記嵌合溝３５ａ，３５ｂは、前記第２連結用開口部３８ａ，３８ｂに近い一端部３７ａ，３７ｂが、分割半体同士の回動方向Ｙにおける前記第２連結用開口部３８ａ，３８ｂから少しだけ内側の位置に形成されている。そして、前記嵌合溝３５ａ，３５ｂに前記嵌合突起２５ａ，２５ｂを嵌合して分割半体同士の屈曲角度Ｒが小さくなる方向（本実施形態では屈曲角度Ｒが１３５°→９０°になる方向）に摺動させた際に、図１，図３，図４及び図８に示すように、設定した最小角度（本実施形態では９０°）で前記嵌合突起２５ａ，２５ｂが前記一端部３７ａ，３７ｂの壁に当接してそれ以上屈曲角度Ｒが小さくなる方向に回動しないように構成されている。すなわち、前記一端部３７ａ，３７ｂは、分割半体同士の屈曲角度Ｒが小さくなる方向への回動を規制する回動ストッパーとなるように形成されている。
【００３３】
また、図１乃至図８に示すように、前記第１分割半体２０ａ，２０ｂの前記第１屈曲端部２１ａ，２１ｂにおける前記第１接続用開口部分割体１１ａ，１１ｂに最も近い位置の外壁（本実施形態では、内側コーナーの側壁２３ａ，２３ｂの外壁及び外側コーナーの側壁２４ａ，２４ｂの外壁を含む全ての外壁）には、前記第１連結用開口部２８ａ，２８ｂ側に面した壁を有する段差部２７ａ，２７ｂが形成されている。そして、前記嵌合溝３５ａ，３５ｂに前記嵌合突起２５ａ，２５ｂを嵌合して分割半体同士の屈曲角度Ｒが大きくなる方向（本実施形態では屈曲角度Ｒが９０°→１３５°になる方向）に摺動させた際に、図２及び図５に示すように、設定した最大角度（本実施形態では１３５°）で前記第２連結用開口部３８ａ，３８ｂが前記段差部２７ａ，２７ｂの壁に当接してそれ以上屈曲角度Ｒが大きくなる方向に回動しないように構成されている。すなわち、前記段差部２７ａ，２７ｂは、分割半体同士の屈曲角度Ｒが大きくなる方向への回動を規制する回動ストッパーとなるように形成されている。
【００３４】
ここで、前記第１分割半体２０ａ，２０ｂの第１屈曲端部２１ａ，２１ｂにおける内側コーナーの側壁２３ａ，２３ｂと外側コーナーの側壁２４ａ，２４ｂとは、前記第１回動中心軸２２ａ，２２ｂを中心とした同心円状の略円弧形状に形成されている。また、前記第２分割半体３０ａ，３０ｂの第２屈曲端部３１ａ，３１ｂにおける内側コーナーの側壁３３ａ，３３ｂと外側コーナーの側壁３４ａ，３４ｂとは、前記第２回動中心軸３２ａ，３２ｂを中心とした同心円状の略円弧形状に形成されている。そして、第１屈曲端部２１ａ，２１ｂの内側コーナーの側壁２３ａ，２３ｂと第２屈曲端部３１ａ，３１ｂの内側コーナーの側壁３３ａ，３３ｂ及び第１屈曲端部２１ａ，２１ｂの外側コーナーの側壁２４ａ，２４ｂと第２屈曲端部３１ａ，３１ｂの外側コーナーの側壁３４ａ，３４ｂは、それぞれ略同径に形成されている。
【００３５】
上記したように、第１屈曲端部２１ａ，２１ｂの第１回動中心軸２２ａ，２２ｂ及び第２屈曲端部３１ａ，３１ｂの第２回動中心軸３２ａ，３２ｂが、その内側コーナーの側壁２３ａ，２３ｂ，３３ａ，３３ｂの外方に位置してそれぞれ係合されており、内側コーナー及び外側コーナーの側壁２３ａ，２３ｂ，２４ａ，２４ｂ，３３ａ，３３ｂ，３４ａ，３４ｂが同心円状に形成されており、内側コーナーの側壁２３ａ，２３ｂ，３３ａ，３３ｂが略同径の略円弧形状に形成され、外側コーナーの側壁２４ａ，２４ｂ，３４ａ，３４ｂが略同径の略円弧形状に形成されていると、まず、側壁同士の引っ掛かりがなく、第１屈曲端部２１ａ，２１ｂと第２屈曲端部３１ａ，３１ｂとが円滑に回動可能となる。
【００３６】
また、このような構成であると、屈曲角度Ｒが小さくなるように第１屈曲端部２１ａ，２１ｂと第２屈曲端部３１ａ，３１ｂとを回動させて、外側コーナーの側壁２４ａ，２４ｂ，３４ａ，３４ｂの重なり具合が小さくなると、同様に内側コーナーの側壁２３ａ，２３ｂ，３３ａ，３３ｂの重なり具合も小さくなり、屈曲角度Ｒが大きくなるように第１屈曲端部２１ａ，２１ｂと第２屈曲端部３１ａ，３１ｂとを回動させて、外側コーナーの側壁２４ａ，２４ｂ，３４ａ，３４ｂの重なり具合が大きくなると、同様に内側コーナーの側壁２３ａ，２３ｂ，３３ａ，３３ｂの重なり具合も大きくなる、というように、外側コーナーの側壁２４ａ，２４ｂ，３４ａ，３４ｂと内側コーナーの側壁２３ａ，２３ｂ，３３ａ，３３ｂの重なり具合が同じ方向に変化していく。
【００３７】
これにより、屈曲端部２１ａ，２１ｂ，３１ａ，３１ｂにおける外側コーナーの側壁２４ａ，２４ｂ，３４ａ，３４ｂ及び内側コーナーの側壁２３ａ，２３ｂ，３３ａ，３３ｂの長さは、屈曲角度Ｒを最小角にしたときの角度に合わせた長さに形成しておけば良く、内側コーナーの側壁２３ａ，２３ｂ，３３ａ，３３ｂの重なり具合だけが重なり過ぎとなるようなことがない。よって、重なった側壁の一部が筒形の内側に突出するようなことがない。従って、配管カバーの中の可撓性配管類を通すスペースを広く保つことができ、かつ、筒形の内側に突出した屈曲端部の側壁の一部で可撓性配管類を傷付けることがなくなる。その結果、当該可撓性配管類のスペース確保や損傷防止のために屈曲端部の側壁の突出した部分を切断する等の作業も必要なくなり、可撓性配管類の設置作業を効率良く行うことができる。
【００３８】
また、回動中心軸２２ａ，２２ｂ，３２ａ，３２ｂが筒形の外側にあるため、その回動中心軸が筒形の内側に出っ張ることがなく、これにより、配管カバーの中の可撓性配管類を通すスペースが狭くなったり、配管カバーの中の可撓性配管類を傷付けてしまったりすることもない。
【００３９】
なお、本実施形態では、第１分割半体２０ａ，２０ｂの第１屈曲端部２１ａ，２１ｂと第２分割半体３０ａ，３０ｂの第２屈曲端部３１ａ，３１ｂにおける略円弧形状がそれぞれ約４５°の角度に形成されており、これに合わせて嵌合溝３５ａ，３５ｂの長さも設定している。これにより、第１分割半体２０ａ，２０ｂと第２分割半体３０ａ，３０ｂ同士の回動可能範囲が９０°〜１３５°となっている（すなわち、可撓性配管類の４５°〜９０°の平面コーナー部分に対応するようになっている）。ここで、９０°〜１３５°の回動可能範囲が可撓性配管類の配設において、通常使用される屈曲角度であるため、この回動可能範囲をカバーしておけば実用上十分である。また、この回動可能範囲にしておくことで、屈曲端部同士の重なり具合が最も小さい９０°の屈曲角度でも、屈曲端部同士の重なり具合が最も大きい１３５°の屈曲角度でも、側壁の一部が内側に全く突出しない構成とすることができるため、配管カバーの中の可撓性配管類を通すスペースを常に広く保つことができ、可撓性配管類の損傷を最も防止できる構成となるものである。
【００４０】
また、前記第１接続用開口部分割体１１ａ，１１ｂ及び前記第２接続用開口部分割体１２ａ，１２ｂ付近には、他の配管カバーを位置決めするストッパー突起２６ａ，２６ｂ，３６ａ，３６ｂが形成されている。このストッパー突起２６ａ，２６ｂ，３６ａ，３６ｂは、接続用開口部に他の配管カバーが挿入されたときにその端部と当接して他の配管カバーの位置を決定するものである。
【００４１】
また、本実施形態の下側分割体１４ａと上側分割体１４ｂは、互いに嵌合等により係合すると共に、複数のネジ穴Ｎ１に挿通されたネジ等（図示省略）で固定されるようになっている。さらに、本実施形態の下側分割体１４ａは、壁面側に配置されたネジ穴Ｎ２に挿通されたネジ等（図示省略）で家屋等の外壁に取付固定されるようになっている。
【００４２】
また、本実施形態では、屈曲端部２１ａ，２１ｂ，３１ａ，３１ｂの外側コーナーの側壁２４ａ，２４ｂ，３４ａ，３４ｂ同士の重ね合わせに際し、プラスチックの弾性力を利用して側壁２４ａ，２４ｂ，３４ａ，３４ｂを必要な向きに弾性変形させた上で、側壁２４ａ，２４ｂに形成された嵌合突起２５ａ，２５ｂを側壁３４ａ，３４ｂに形成された嵌合溝３５ａ，３５ｂへ嵌合させている。そのため、双方が嵌合した後に側壁２４ａ，２４ｂ，３４ａ，３４ｂが弾性変形から復帰して元の状態に戻ったときに、嵌合突起２５ａ，２５ｂと嵌合溝３５ａ，３５ｂとが所定の圧力で押し合う状態となり（側壁２４ａ，２４ｂと側壁３４ａ，３４ｂも所定の圧力で押合う状態となる場合も有り）、摺動させる際に所定の摩擦力が発生する状態となる。そのため、分割半体２０ａ，３０ａ（２０ｂ，３０ｂ）同士の屈曲角度Ｒを変える際に、前記した摩擦力によってどの屈曲角度Ｒの位置にも保持することができ、その結果、屈曲角度Ｒを微調整を含めて無段階に調整することができるようになっている。
【００４３】
因みに、前記した特許文献１に記載された配管カバーのように、屈曲部を回動させるための回動中心軸を配管カバーの筒形の内側に有しており、この回動中心軸のみで屈曲する双方の部材を連結しているものであると、双方の部材は互いに圧力を掛け合って摩擦力を生じるような連結をしていない。そのため、本実施形態のように任意の屈曲角度でその角度を保持しようとしても、すぐに角度が動いてしまい、配管カバーを壁面にネジ等で固定するまで角度を固定することができず、作業効率が悪いという問題が生じるものである。
【００４４】
なお、図示は省略するが、屈曲端部２１ａ，２１ｂ，３１ａ，３１ｂの側壁２４ａ，２４ｂ，３４ａ，３４ｂ等に、屈曲角度Ｒを示す角度目盛りが設けられていても良い。この角度目盛りとしては、屈曲角度Ｒを数字等で表示するものや、屈曲端部同士で嵌合する突起と穴のようなもので屈曲端部同士の回動を係止して屈曲角度Ｒを決定するもの等が挙げられる。
【００４５】
以上のように、本実施形態に係るコーナー用配管カバーによれば、２つの分割半体同士を回動させる際の中心となる回動中心軸を、屈曲部の内側コーナーの側壁の外方に配置したため、分割半体同士を回動させても屈曲部の側壁の一部が筒形の内側に突出する場合がほとんどなくなる。従って、配管カバーの中の可撓性配管類を通すスペースを広く保つことができ、かつ、筒形の内側に突出した屈曲端部の側壁の一部で可撓性配管類を傷付けることがなくなり、その結果、当該可撓性配管類のスペース確保や損傷防止のために屈曲端部の側壁の突出した部分を切断する等の作業も必要なくなり、可撓性配管類の設置作業を効率良く行うことができる。また、回動中心軸が筒形の内側にないため、回動中心軸の出っ張りで、配管カバーの中の可撓性配管類を通すスペースが狭くなったり、可撓性配管類を傷付けてしまったりすることもなくなる。
【００４６】
また、本実施形態に係るコーナー用配管カバーによれば、上記効果に加え、２つの分割半体の屈曲部の略円弧形状がそれぞれ約４５°の角度を有し、分割半体同士の回動可能範囲が９０°〜１３５°の間となることで、より屈曲部の側壁の一部が筒形の内側に突出することがない構成となる。その結果、より可撓性配管類を傷付けることがなくなり、より可撓性配管類の設置作業を効率良く行うことができる。
【００４７】
また、本実施形態に係るコーナー用配管カバーによれば、上記効果に加え、回動中心軸同士の係合と屈曲端部の外側コーナーの側壁同士の重ね合わせのみで、２つの分割半体を回動可能に連結することができるため、コーナー用配管カバーの組立を簡単かつ確実に行うことができ、作業効率を向上させることができる。
【００４８】
また、本実施形態に係るコーナー用配管カバーによれば、上記効果に加え、屈曲端部の外側コーナーの側壁同士の重ね合わせによる係合を、嵌合突起を嵌合溝へ嵌合させることで、外れ難いストッパを有する係合とすることができるため、コーナー用配管カバーの組立を簡単、かつ、より確実に行うことができ、作業効率をさらに向上させることができる。
【００４９】
なお、以上説明した本発明の実施の形態は、本発明の理解を容易にするために記載されたものであって、本発明を限定するために記載されたものではない。
【００５０】
例えば、前記した実施形態では、分割半体の一方における屈曲端部の外側コーナーの側壁の外壁に嵌合突起を有し、分割半体の他方における屈曲端部の外側コーナーの側壁の内壁に嵌合溝を有しており、回動中心軸同士を所定の方向で係合すると共に、嵌合突起を嵌合溝に摺動可能に嵌合させることで、分割半体同士を回動可能に連結していたが、これに限るものではなく、他の構成で分割半体同士を回動可能に連結していても良い。その例としては、分割半体の一方における回動中心軸をその軸方向において分割体の割面から遠い側にすると共に分割半体の他方における回動中心軸をその軸方向において分割体の割面から近い側にしてその回動中心軸同士を係合し、かつ、分割半体の一方における屈曲端部の外側コーナーの側壁の外壁と、分割半体の他方における屈曲端部の外側コーナーの側壁の内壁とを弾性力による圧力で互いに押し合う状態にして摺動可能に重ね合わせることで、分割半体同士を回動可能に連結する場合が挙げられる。なお、この場合は、連結の安定感を保つためにそれぞれの回動中心軸を長めに形成した方が好ましい。
【００５１】
また、前記した実施形態では、分割半体の一方（第１分割半体）における屈曲端部の外側コーナーの側壁の外壁に突出形成された嵌合突起を、分割半体の他方（第２分割半体）における屈曲端部の外側コーナーの側壁の内壁に形成された嵌合溝に嵌合させる際に、双方を弾性変形させて嵌合させるようになっていたが、これに限るものではなく、嵌合突起が突出形成された分割半体の一方（第１分割半体）における屈曲端部の外側コーナーの側壁を内側へ弾性変形させるか、嵌合溝が形成された分割半体の他方（第２分割半体）における屈曲端部の外側コーナーの側壁を外側へ弾性変形させるかのどちらか片方の弾性変形のみで嵌合させるようになっていても良い。
【００５２】
また、前記した実施形態では、エアコンディショナー等のドレンホースなどを覆う配管カバーを例にして説明したが、本発明はこれに限るものではなく、例えば給湯用の配管を覆う配管カバーや電気配線を覆う配線カバー等の種々の配管カバーに適用可能である。
【図面の簡単な説明】
【００５３】
【図１】本発明の一実施形態に係るコーナー用配管カバーの屈曲角度を９０°にしたときを示す斜視図である。
【図２】同実施形態に係るコーナー用配管カバーの屈曲角度を４５°にしたときを示す斜視図である。
【図３】同実施形態に係るコーナー用配管カバーを２つの分割体に分離した状態において屈曲角度を９０°にしたときを示す斜視図である。
【図４】同実施形態に係るコーナー用配管カバーを２つの分割体に分離した状態において屈曲角度を９０°にしたときを示す割面図である。
【図５】同実施形態に係るコーナー用配管カバーを２つの分割体に分離した状態において屈曲角度を４５°にしたときを示す割面図である。
【図６】同実施形態に係るコーナー用配管カバーの２つの分割体をさらに２つの分割半体に分離した状態を示す斜視図である。
【図７】同実施形態に係るコーナー用配管カバーの２つの分割体をさらに２つの分割半体に分離した状態を示す割面図である。
【図８】同実施形態に係るコーナー用配管カバーの２つの分割体のうち壁面側の分割体を図３とは別角度から見た斜視図である。
【符号の説明】
【００５４】
１０    コーナー用配管カバー
１１    第１接続用開口部
１１ａ，１１ｂ  第１接続用開口部分割体
１２    第２接続用開口部
１２ａ，１２ｂ  第２接続用開口部分割体
１３    屈曲部
１３ａ，１３ｂ  屈曲部分割体
１４ａ  下側分割体（分割体）
１４ｂ  上側分割体（分割体）
２０ａ，２０ｂ  第１分割半体（分割半体，分割半体の一方）
２１ａ，２１ｂ  第１屈曲端部（屈曲端部）
２２ａ，２２ｂ  第１回動中心軸（回動中心軸）
２３ａ，２３ｂ  第１屈曲端部の内側コーナーの側壁
２４ａ，２４ｂ  第１屈曲端部の外側コーナーの側壁
２５ａ，２５ｂ  嵌合突起
２６ａ，２６ｂ，３６ａ，３６ｂ  ストッパー突起
２７ａ，２７ｂ  段差部（回動ストッパー）
２８ａ，２８ｂ  第１連結用開口部
３０ａ，３０ｂ  第２分割半体（分割半体，分割半体の他方）
３１ａ，３１ｂ  第２屈曲端部（屈曲端部）
３２ａ，３２ｂ  第２回動中心軸（回動中心軸）
３３ａ，３３ｂ  第２屈曲端部の内側コーナーの側壁
３４ａ，３４ｂ  第２屈曲端部の外側コーナーの側壁
３５ａ，３５ｂ  嵌合溝
３７ａ，３７ｂ  嵌合溝の一端部（回動ストッパー）
３８ａ，３８ｂ  第２連結用開口部
Ｎ１，Ｎ２  ネジ穴
Ｒ      屈曲角度
Ｘ      回動中心軸の軸方向
Ｙ      回動方向（略円弧形状の円弧方向）
【図１】
2010144863.tif 000003
【図２】
2010144863.tif 000004
【図３】
2010144863.tif 000005
【図４】
2010144863.tif 000006
【図５】
2010144863.tif 000007
【図６】
2010144863.tif 000008
【図７】
2010144863.tif 000009
【図８】
2010144863.tif 000010